(57)【要約】【課題】  本発明は、吸引出しの際にかぶせ蓋を揺動させたり傾斜させたりすることなく水平を保ったまま安定して１枚づつ吸引出しすることができるようにして、１枚ではなく２〜３枚のかぶせ蓋が同時に抜け落ちする吸引出し不良を確実に解消する食材の容器内連続充填ラインにおけかぶせ蓋の供給筒装置を新規に提供するものである。【構成】  本発明は、供給筒内に多数重ね入れしたかぶせ蓋を下端の円形フランジ内から一枚づつ掛止を解いて吸引出しするようにした装置において、水平を保ったままかぶせ蓋を安定して一枚づつ吸引出しするために、前記円形フランジの内面に掛止許容幅より短い内向幅と周方向に一定の長さを有す掛止面を等間隔を置いて１０数個において突設したことを特徴とする食材の容器内連続充填ラインにおけるかぶせ蓋の供給筒装置にある。【選択図】図２
2009113854.tif 000002
【特許請求の範囲】
【請求項１】
供給筒内に多数重ね入れしたかぶせ蓋を下端の円形フランジ内から一枚づつ掛止を解いて吸引出しするようにした装置において、水平を保ったままかぶせ蓋を安定して一枚づつ吸引出しするために、前記円形フランジの内面に掛止許容幅より短い内向幅と周方向に一定の長さを有す掛止面を等間隔を置いて１０数個において突設したことを特徴とする食材の容器内連続充填ラインにおけるかぶせ蓋の供給筒装置。
【請求項２】
掛止面と等間隔は中心角８度乃至１２度と中心角１２度乃至１６度の長さにおいて交互する請求項１に記載のかぶせ蓋の供給筒装置。
【発明の詳細な説明】
【技術分野】
【０００１】
この発明は、食材を容器内に連続充填するラインにおいて、かぶせ蓋を供給する供給筒装置、詳しくは供給筒の下端のかぶせ蓋の掛止面についてのものである。
【背景技術】
【０００２】
従来この種の掛止面は図５に示すように、縦形の供給筒下の円形フランジの内面に内端を細くした複数本の楔形部材を円形フランジの外側から出入調整自在に螺挿取付けして先細の先端部分にて供給筒内の最下のかぶせ蓋の張出し鍔を吸引出し可能において掛止するようにしている。
【特許文献１】なし
【発明の開示】
【発明が解決しようとする課題】
【０００３】
しかしながら、各掛止面を形成する各楔形部材は出し入れ調整による揃え合わせが容易でなく、しかも先細の先端部分による点的な弱い掛止のため、吸引出しの際に揺れたり、傾いたりして位置ずれして、１枚ではなしに２〜３枚のかぶせ蓋が抜け落ちする吸引出し不良がしばしば生じて、これらを取除くために、その都度連続充填ラインを一旦停止しなければならないという課題があった。
【課題を解決するための手段】
【０００４】
本発明は、供給筒の下端の円形フランジの内面に設ける掛止面を吸引出し可能において面的な拡がりを持って形成して、掛止作用を強化して、かかる課題を解決するようにしたのである。
【発明の効果】
【０００５】
本発明は、フランジ内面の各掛止面を螺挿ではなく突設により形成して固定したので、各掛止面は出し入れ調整が不要になるという効果を生ずる。
【０００６】
フランジ内面の掛止面は被掛止面となるかぶせ蓋の張出し鍔の外側を浅く掛止する短い内向幅と周方向に一定の長さを持って形成して、等間隔を置いて１０数個において突設したので、かぶせ蓋は水平を保ったまま１枚づつが安定して吸引出しするという効果を生ずる。
【０００７】
吸引出しの際にかぶせ蓋が揺れたりして位置ずれして１枚ではなしに２〜３枚が同時に抜け出すという吸引出し不良が確実に解消するという効果を生ずる。
【発明を実施するための最良の形態】
【０００８】
本発明は、食材の容器内連続充填ラインにおいて、多数のかぶせ蓋を積み重ね収容した縦形円筒形の供給筒の下端の円形フランジの内面に切削工程により掛止許容幅より短い内向幅と周方向に一定の長さを持った水平な掛止面を等間隔を置いて１０数個において突設して、供給筒内の最下のかぶせ蓋を水平を保ったまま吸引出し可能において掛止するように構成する。
【実施例１】
【０００９】
図１乃至図２は実施例を示すもので、縦形円筒形の供給筒１の下端ベース２下の円形くり抜き部に嵌付けする円形フランジ３の内面を切削加工して、図２に示すように等間隔を置いて１０数個の掛止面４を固定形成する。各掛止面４は掛止許容面となるかぶせ蓋５の張出し鍔５ａより短い内向幅と、周方向に内向幅の５〜１０倍の長さの面的に拡がりを持って形成し、供給筒１内に多数積み重ね収容した最下のかぶせ蓋５を吸引出し可能において安定掛止するようにする。
【００１０】
しかして直下より蓋かぶせ用のエアー吸着パッド６を上動して最下のかぶせ蓋５に吸着して且つ若干上動して掛止面４よりかぶせ蓋５の張出し鍔５ａを浮かせて掛止を解いて後該パッド６を下動すると重量の加わりもあって最下のかぶせ蓋５は円形フランジ３下に吸引出しされ、次なるかぶせ蓋５が掛止されることとなる。各掛止面４が周方向に一定の長さを有して従来の点的な掛止ではなく面的な掛止によって、それも等間隔を置いた全周の掛止によって、掛止と吸引出しのバランスが最善に保たれるため、かぶせ蓋５は揺動したり傾斜したりの位置ずれによる抜け出しが生じないので１枚づつ確実に安定して吸引出しされることとなる。
【００１１】
吸引出しされたかぶせ蓋５はエアー吸着パッド６の反転により内面を下に向けて走行し来たる食材を充填した容器７上に順次被せられて閉蓋して吸着が解かれることとなる。
【実施例２】
【００１２】
図３乃至図４に示すように、かぶせ蓋５は透明で弾性のあるポリスチレン等の樹脂製であって、約０.１ｍｍ厚にて直径約９０ｍｍの大きさに形成し、外側の垂直面５ｂに続く水平張出し鍔５ａは幅が約１.５ｍｍ程度である。このかぶせ蓋５を積み重ね収容する縦形の供給筒１は下端ベース２下の円形くり抜き部に円形フランジ３を嵌付け、その内面を切削加工して内向幅を張出し鍔５ａの張出し幅より短い１.１ｍｍ程度とし、中心角９度の周方向の長さを持って水平である掛止面４を１５個において固定形成する。各掛止面４間には中心角１５度の等間隔Ｋを置くようにする。１５個の掛止面４の周方向の長さの総和は３６０度分の１３５度＝３７.５％となり、周方向の長さの３分の１強である。
【００１３】
掛止面４と等間隔Ｋを以上の関係に置くことで、１５個の掛止面４はかぶせ蓋５を水平を保ったまま１枚づつ安定して吸引出しして、２〜３枚が同時に抜け出すということが解消されることとなる。
【００１４】
図示してない外部の真空ポンプに連通しているエアー吸着パッド６の上動により吸着面６ａを最下のかぶせ蓋５の中間部に当接し吸着させて且つ若干上動して掛止面４を張出し鍔５ａより離して掛止を解いて後エアー吸引しつつ下動して、最下のかぶせ蓋５を吸引出しするのである。１５個の掛止面４が中心角１５度の等間隔Ｋを置いて中心角９度の長さを持って周設されていることで、かぶせ蓋５は傾斜したり、揺動したりすることなく水平を保ったまま安定して１枚づつ吸引出しされる。吸引出しされたかぶせ蓋５はリテーナーコンベア８上を走行し来たるスープ，具材等の食材を充填したカップ容器７の開口縁に当て被せしてカップを閉蓋することとなる。
【００１５】
供給筒１内は下から２番目のかぶせ蓋５が最下となって１５個の掛止面４に掛止されて積み重ねた多数のかぶせ蓋５を支え、次の吸引出しを待つこととなる。前のかぶせ蓋５が位置ずれせずに水平を保ったまま吸引出しされることにより２番目以降のかぶせ蓋５も揺動したり傾斜したりすることなく水平を保って掛止して１枚づつ吸引出しされることとなる。
【００１６】
なお、かぶせ蓋５が薄くて張り強度が弱いときは、各掛止面４の周方向の長さを長くして掛止面積を拡げるのである。張り強度，大きさの異なる数種のかぶせ蓋５にて実験したところ、掛止面４の周方向の長さの総和が周長の３分の１より短くなると掛止が不安定となって揺動，傾斜などが生ずることがあり、同じく２分の１より長くすると掛止力が勝ってエアー吸着パッド６による吸引出しができないことがあった。したがって、最良の掛止、バランスのある掛止を心掛けるべきである。
【産業上の利用可能性】
【００１７】
本発明は以上のようにして、食材の容器内連続充填ラインにおいて、張り強度、大きさの大小する各種のかぶせ蓋を供給するかぶせ蓋の供給筒装置として広く利用することができるものである。
【図面の簡単な説明】
【００１８】
【図１】供給筒と食材の容器内連続充填ラインの一部を示す縦断正面図
【図２】（ａ）は円形フランジの拡大平面図、（ｂ）は同、縦断正面図
【図３】第２実施例について、（ａ）は供給筒部分の縦断正面図、（ｂ）はかぶせ蓋を示す平面図
【図４】同、（ａ）は円形フランジの拡大平面図、（ｂ）は供給筒の下端の一側部分を示す拡大縦断面図
【図５】従来例で、（ａ）は円形フランジの横断平面図、（ｂ）は供給筒部分の縦断正面図
【符号の説明】
【００１９】
１は供給筒
２は下端ベース
３は円形フランジ
４は掛止面
５はかぶせ蓋
５ａは張出し鍔
６はエアー吸着パッド
７はカップ容器
８はリテーナーコンベア
Ｋは等間隔
【図１】
2009113854.tif 000003
【図２】
2009113854.tif 000004
【図３】
2009113854.tif 000005
【図４】
2009113854.tif 000006
【図５】
2009113854.tif 000007